(57)【要約】      （修正有）【課題】所望の情報を容易に確認することが出来る、携帯通信端末、情報表示プログラムおよび情報表示方法の提供。【解決手段】携帯電話機１０は、サーバからｗｅｂページを取得してディスプレイ１４にｗｅｂページを表示するブラウザ機能を有している。また、携帯電話機１０は、ｗｅｂページが表示されるディスプレイ１４およびブラウザ機能の履歴情報やブックマーク情報が記録されるＲＡＭなどを備える。たとえば、ユーザが、履歴情報（ＨＩ）を表示する操作を行うと、ＵＲＬと、そのＵＲＬが示すｗｅｂページの内容を表す複数のアイコン情報（ＭＩ）とが、ディスプレイ１４に表示される。【効果】複数の履歴情報が表示されても、ユーザは所望の履歴情報を適切に選択することが出来る。【選択図】図１
2014035652.tif 000002
【特許請求の範囲】
【請求項１】
ブラウザ機能の履歴情報およびブックマーク情報を記憶する記憶部を有する、携帯通信端末において、
表示部、および
前記履歴情報または前記ブックマーク情報に含まれるｗｅｂページの文字情報とともに、当該文字情報に関連する複数の情報アイコンを、前記表示部に表示する表示処理部を備えることを特徴とする、携帯通信端末。
【請求項２】
前記複数の情報アイコンは、前記ｗｅｂページのファビコンを含む、請求項１記載の携帯通信端末。
【請求項３】
前記複数の情報アイコンは、前記ｗｅｂページにおいて、所定条件を満たす画像の画像アイコンを含む、請求項１または２記載の携帯通信端末。
【請求項４】
前記複数の情報アイコンは、前記ｗｅｂページの文字列に含まれる特徴語と対応する特徴語アイコンを含む、請求項１ないし３のいずれかに記載の携帯通信端末。
【請求項５】
前記ｗｅｂページの文字情報は、ＵＲＬを含む、請求項１ないし４のいずれかに記載の携帯通信端末。
【請求項６】
前記ｗｅｂページの文字情報は、ｗｅｂページ名を含む、請求項１ないし５のいずれかに記載の携帯通信端末。
【請求項７】
表示部およびブラウザ機能の履歴情報またはブックマーク情報を記憶する記憶部を有する、携帯通信端末のプロセッサを、
前記履歴情報または前記ブックマーク情報に含まれるｗｅｂページの文字情報とともに、当該文字情報に関連する複数の情報アイコンを、前記表示部に表示する表示処理部として機能させる、情報表示プログラム。
【請求項８】
表示部およびブラウザ機能の履歴情報またはブックマーク情報を記憶する記憶部を有する、携帯通信端末の情報表示方法であって、
前記履歴情報または前記ブックマーク情報に含まれるｗｅｂページの文字情報とともに、当該文字情報に関連する複数の情報アイコンを、前記表示部に表示する、情報表示方法。
【発明の詳細な説明】
【技術分野】
【０００１】
この発明は、携帯通信端末、情報表示プログラムおよび情報表示方法に関し、特に履歴情報を表示する、携帯通信端末、情報表示プログラムおよび情報表示方法に関する。
【背景技術】
【０００２】
履歴情報を表示する携帯通信端末の一例が特許文献１に開示されている。特許文献１の情報処理装置にはブラウザがインストールされており、インターネットからダウンロードしたページを表示する。また、ブラウザはページの履歴を記憶する機能を有しており、所定の操作が行われると、履歴が各ページのリンクに基づくツリー構造で表示される。
【特許文献１】特開２００２−２０７７６６号公報［G06F 17/30］
【発明の概要】
【発明が解決しようとする課題】
【０００３】
ところが、ツリー構造で履歴が表示されたとしても、履歴が文字だけの場合、ユーザは複数の履歴のそれぞれを識別することは困難である。また、情報処理装置が携帯電話に適用された場合、表示面積が小さいディスプレイにツリー構造の履歴が表示されることになる。このとき、記録された履歴が多いと、ツリー構造の全体を表示するためには文字サイズを小さくする必要があるため、ユーザは履歴を確認しにくくなる。
【０００４】
それゆえに、この発明の主たる目的は、新規な、携帯通信端末、情報表示プログラムおよび情報表示方法を提供することである。
【０００５】
この発明の他の目的は、ユーザが所望の情報を容易に確認することが出来る、携帯通信端末、情報表示プログラムおよび情報表示方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、ブラウザ機能の履歴情報およびブックマーク情報を記憶する記憶部を有する、携帯通信端末において、表示部、および履歴情報またはブックマーク情報に含まれるｗｅｂページの文字情報とともに、当該文字情報に関連する複数の情報アイコンを、表示部に表示する表示処理部を備えることを特徴とする、携帯通信端末である。
【０００８】
第１の発明では、携帯通信端末（１０：実施例において対応する部分を例示する参照符号。以下、同じ。）は、ブラウザ機能によって取得されたｗｅｂページが表示される表示部（１４）、およびブラウザ機能の履歴情報およびブックマーク情報を記憶する記憶部（４６）を有する。たとえば、ユーザが、履歴情報またはブックマーク情報を表示する操作を行うと、表示処理部（３０，Ｓ４７，Ｓ５５）は、履歴情報またはブックマーク情報に含まれるｗｅｂページの文字情報に関連する複数の情報アイコン（ＭＩａ−ＭＩｅ）を表示する。
【０００９】
第１の発明によれば、複数の履歴情報または複数のブックマーク情報が表示されていたとしても、ユーザは所望の情報を適切に選択することが出来る。
【００１０】
第２の発明は、第１の発明に従属し、複数の情報アイコンは、ｗｅｂページのファビコン（Ｆ）を含む。
【００１１】
第３の発明は、第１の発明または第２の発明に従属し、複数の情報アイコンは、ｗｅｂページにおいて、所定条件を満たす画像（Ｇ１）の画像アイコンを含む。
【００１２】
第３の発明では、所定条件を満たす画像とは、たとえば、ｗｅｂページに含まれる画像のうち、最も表示サイズが大きい画像である。
【００１３】
第４の発明は、第１の発明ないし第３の発明のいずれかに従属し、複数の情報アイコンは、ｗｅｂページの文字列に含まれる特徴語と対応する特徴語アイコンを含む。
【００１４】
第２の発明、第３の発明および第４の発明によれば、ファビコン、ｗｅｂページ内の画像および特徴語などに基づいて複数の情報アイコンが作成されるため、複数の情報アイコンは関連するｗｅｂページの内容を表すことが出来る。
【００１５】
第５の発明は、第１の発明ないし第４の発明のいずれかに従属し、ｗｅｂページの文字情報は、ＵＲＬを含む。
【００１６】
第５の発明によれば、ｗｅｂページに基づいて作成された複数の情報アイコンがＵＲＬと共に表示されるため、ユーザは所望のｗｅｂページと対応する履歴情報またはブックマーク情報を容易に特定することが出来る。
【００１７】
第６の発明は、第１の発明ないし第５の発明のいずれかに従属し、ｗｅｂページの文字情報は、ｗｅｂページ名を含む。
【００１８】
第６の発明によれば、ｗｅｂページ名に対して、ｗｅｂページの内容を表す複数の情報アイコンが関連付けられているため、ユーザはブックマーク情報または履歴情報を容易に識別することが出来る。
【００１９】
第７の発明は、表示部（１４）およびブラウザ機能の履歴情報またはブックマーク情報を記憶する記憶部（４６）を有する、携帯通信端末（１０）のプロセッサ（３０）を、履歴情報またはブックマーク情報に含まれるｗｅｂページの文字情報とともに、当該文字情報に関連する複数の情報アイコン（ＭＩａ−ＭＩｅ）を、表示部に表示する表示処理部（Ｓ４７，Ｓ５５）として機能させる、情報表示プログラムである。
【００２０】
第７の発明でも、第１の発明と同様、複数の履歴情報または複数のブックマーク情報が表示されていたとしても、ユーザは所望の情報を適切に選択することが出来る。
【００２１】
第８の発明は、表示部（１４）およびブラウザ機能の履歴情報またはブックマーク情報を記憶する記憶部（４６）を有する、携帯通信端末（１０）の情報表示方法であって、履歴情報またはブックマーク情報に含まれるｗｅｂページの文字情報とともに、当該文字情報に関連する複数の情報アイコン（ＭＩａ−ＭＩｅ）を、表示部に表示する（Ｓ４７，Ｓ５５）、情報表示方法である。
【００２２】
第８の発明でも、第１の発明と同様、複数の履歴情報または複数のブックマーク情報が表示されていたとしても、ユーザは所望の情報を適切に選択することが出来る。
【発明の効果】
【００２３】
この発明によれば、ユーザが所望の情報を容易に選択することが出来る。
【００２４】
この発明の上述の目的、その他の目的、特徴および利点は、図面を参照して行う以下の実施例の詳細な説明から一層明らかとなろう。
【図面の簡単な説明】
【００２５】
【図１】図１はこの発明の一実施例の携帯電話機を示す外観図である。
【図２】図２は図１に示す携帯電話機の電気的な構成を示す図解図である。
【図３】図３は図１に示すディスプレイに表示されるｗｅｂページの一例を示す図解図である。
【図４】図４は図２に示すＲＡＭに記憶されるアイコンデータの構成の一例を示す図解図である。
【図５】図５は図２に示すＲＡＭに記憶される特徴語テーブルの構成の一例を示す図解図である。
【図６】図６は図２に示すＲＡＭに記憶される履歴情報テーブルの構成の一例を示す図解図である。
【図７】図７は図１に示すディスプレイに表示される履歴画面の一例を示す図解図である。
【図８】図８は図２に示すＲＡＭに記憶されるブックマーク情報テーブルの構成の一例を示す図解図である。
【図９】図９は図１に示すディスプレイに表示されるブックマーク画面の一例を示す図解図である。
【図１０】図１０は図２に示すＲＡＭのメモリマップの一例を示す図解図である。
【図１１】図１１は図２に示すプロセッサの補足情報記録処理の一例を示すフロー図である。
【図１２】図１２は図２に示すプロセッサの補足情報表示処理の一例を示すフロー図である。
【発明を実施するための形態】
【００２６】
図１を参照して、この発明の一実施例の携帯電話機１０は、一例としてスマートフォン（smart phone）であり、縦長の扁平矩形のハウジング１２を含む。ただし、この発明は、タブレット端末、ＰＤＡなど任意の携帯通信端末に適用可能であることを予め指摘しておく。
【００２７】
ハウジング１２の一方主面（表面）には、表示部として機能する液晶パネルや有機ＥＬなどで構成されるディスプレイ１４が設けられる。ディスプレイ１４の上には、タッチパネル１６が設けられる。したがって、この実施例の携帯電話機１０では、後述のハードキーの操作によるものを除く大部分の入力操作は、このタッチパネル１６を介して行われる。
【００２８】
ハウジング１２の縦方向一端の主面側にスピーカ１８が内蔵され、縦方向他端の主面側にはマイク２０が内蔵される。
【００２９】
ハウジング１２の一方主面には、タッチパネル１６と共に入力操作手段を構成するハードキー２２が設けられる。本実施例では、ハードキー２２には通話キー２２ａ、終話キー２２ｂおよびメニューキー２２ｃが含まれる。
【００３０】
たとえば、ユーザは、ディスプレイ１４に表示されたダイヤルキーに対して、タッチパネル１６によってタッチ操作を行うことで電話番号を入力でき、通話キー２２ａを操作して音声通話を開始することが出来る。ユーザは終話キー２２ｂを操作すれば、音声通話を終了することが出来る。なお、ユーザは、終話キー２２ｂを長押しすることによって、携帯電話機１０の電源をオン／オフすることが出来る。
【００３１】
また、メニューキー２２ｃを操作すれば、ディスプレイ１４にメニュー画面が表示され、その状態でディスプレイ１４に表示されているソフトキーやメニューアイコンなどに対して、タッチパネル１６によるタッチ操作を行うことによって所望の機能を実行することが出来る。
【００３２】
図２を参照して、図１に示す実施例の携帯電話機１０は、コンピュータまたはＣＰＵと呼ばれるプロセッサ３０などを含む。プロセッサ３０には、無線通信回路３２、Ａ／Ｄ変換器３６、Ｄ／Ａ変換器３８、入力装置４０、表示ドライバ４２、フラッシュメモリ４４、ＲＡＭ４６およびタッチパネル制御回路４８などが接続される。
【００３３】
プロセッサ３０は、携帯電話機１０の全体制御を司る。記憶部として機能するＲＡＭ４６には、フラッシュメモリ４４に予め設定されているプログラムの全部または一部が使用に際して展開されている。プロセッサ３０はＲＡＭ４６上のプログラムに従って動作する。なお、ＲＡＭ４６はさらに、プロセッサ３０のワーキング領域ないしバッファ領域として用いられる。
【００３４】
入力装置４０は、図１に示すタッチパネル１６、ハードキー２２ａ、２２ｂおよび２２ｃを含むものであり、操作部または入力部を構成する。ユーザが操作したハードキーの情報（キーデータ）はプロセッサ３０に入力される。
【００３５】
無線通信回路３２は、アンテナ３４を通して、音声通話やメールなどのための電波を送受信するための回路である。実施例では、無線通信回路３２は、ＣＤＭＡ方式での無線通信を行うための回路である。たとえば、ユーザが入力装置４０を操作して電話発信（発呼）を指示すると、無線通信回路３２は、プロセッサ３０の指示の下、電話発信処理を実行し、アンテナ３４を介して電話発信信号を出力する。電話発信信号は、基地局および通信網を経て相手の電話機に送信される。そして、相手の電話機において着信処理が行われると、通信可能状態が確立され、プロセッサ３０は通話処理を実行する。
【００３６】
Ａ／Ｄ変換器３６には図１に示すマイク２０が接続され、マイク２０からの音声信号はこのＡ／Ｄ変換器３６を通してディジタルの音声データとしてプロセッサ３０に入力される。Ｄ／Ａ変換器３８にはスピーカ１８が接続される。Ｄ／Ａ変換器３８は、ディジタルの音声データを音声信号に変換して、アンプを介してスピーカ１８に与える。したがって、音声データの音声がスピーカ１８から出力される。
【００３７】
表示ドライバ４２には図１に示すディスプレイ１４が接続されている。したがって、ディスプレイ１４はプロセッサ３０から出力される映像または画像データに従って映像または画像を表示する。つまり、表示ドライバ４２は、プロセッサ３０の指示の下、当該表示ドライバ４２に接続されたディスプレイ１４の表示を制御する。また、表示ドライバ４２は表示する画像データを一時的に記憶するビデオメモリを含む。ディスプレイ１４には、たとえばＬＥＤなどを光源とするバックライトが設けられており、表示ドライバ４２はプロセッサ３０の指示に従って、バックライトの明るさや、点灯／消灯を制御する。
【００３８】
タッチパネル制御回路４８には、図１に示すタッチパネル１６が接続される。タッチパネル制御回路４８は、タッチパネル１６に必要な電圧などを付与するとともに、タッチパネル１６に対するユーザによるタッチの開始を示すタッチ開始信号、ユーザによるタッチの終了を示す終了信号、およびユーザがタッチしたタッチ位置を示す座標データをプロセッサ３０に入力する。したがって、プロセッサ３０はこの座標データに基づいて、そのときユーザがどのアイコンやキーにタッチしたかを判断することが出来る。なお、タッチパネル１６の検出方式には、表面型の静電容量方式が採用されてもよいし、抵抗膜方式、超音波方式、赤外線方式および電磁誘導方式などが採用されてもよい。また、タッチ操作はユーザの指に限らず、スタイラスペンなどによって行われてもよい。
【００３９】
携帯電話機１０は、電話機能のほかに、ネットワーク上のサーバからｗｅｂページのデータをダウンロードし、そのｗｅｂページを表示するためのブラウザ機能を有している。
【００４０】
図３を参照して、ディスプレイ１４は状態表示領域７０および機能表示領域７２を含み、機能表示領域７２にはｗｅｂページが表示されている。状態表示領域７０には、アンテナ３４による電波受信状態を示すアイコン（ピクト）、二次電池の残電池容量を示すアイコンおよび日時が表示される。機能表示領域７２には、文字列、アドレス領域８０および画像Ｇ１−Ｇ３などを含むｗｅｂページが表示される。アドレス領域８０には、ｗｅｂページの文字情報としてＵＲＬが表示されると共に、ファビコンＦが表示される。「ファビコン(Favicon)」とは、「フェイバリットアイコン(favorite icon)」を短縮した造語であり、ｗｅｂページ毎にページの管理者などによって指定されている。そのため、新しいｗｅｂページが表示される毎に、そのページに対応するファビコンＦおよびＵＲＬがアドレス領域８０に表示される。
【００４１】
また、図３に示すｗｅｂページは、ＳＮＳ(social networking service)における「ＡＡＡ」と言う人のｗｅｂページである。このようなｗｅｂページでは、人ＡＡＡが設定している画像Ｇ１と、その人ＡＡＡが友人登録している人ＢＢＢの画像Ｇ２および人ＣＣＣの画像Ｇ３とが表示される。また、画像Ｇ１−Ｇ３の他には、人ＡＡＡが投稿したコメント（birthday……）がｗｅｂページに表示される。なお、表示部１４に表示されたｗｅｂページに対してスクロールするタッチ操作が行われると、他のコメントや画像などが表示される。
【００４２】
また、ブラウザ機能では、補足情報として、履歴情報およびブックマーク情報をそれぞれ記録することが出来る。履歴情報は、ｗｅｂページの閲覧履歴を示し、ｗｅｂページが表示される毎に自動的に記録される。ブックマーク情報は、頻繁に利用するｗｅｂページのＵＲＬなどを含み、ユーザによって登録操作が行われたときに記録される。なお、ユーザは、このように記録された履歴情報およびブックマーク情報を、任意に表示させることが出来る。
【００４３】
ここで本実施例では、履歴情報を記録する際に、その履歴情報に含まれるＵＲＬ（文字情報）に関連付けて複数の情報アイコンも併せて記録する。そして、履歴情報を表示する際に、ｗｅｂページのＵＲＬに複数の情報アイコンを関連付けて表示する。複数の情報アイコンは、ＵＲＬが示すｗｅｂページに関連して作成され、ＵＲＬが示すｗｅｂページの内容を表す。そのためユーザは、履歴情報を表示したときに複数の情報アイコンを確認することで、履歴情報が示すｗｅｂページの内容を推測することが出来る。
【００４４】
以下、履歴情報を作成する手順について具体的に説明する。まず、アドレス領域８０に表示されているファビコンＦが記録され、ｗｅｂページに表示される画像において表示画像サイズが最も大きな画像がアイコン化され記録される。
【００４５】
たとえば、図３のｗｅｂページの履歴情報では、「Ｈ」と書かれたファビコンＦと、ｗｅｂページの画像のうち最も大きい画像Ｇ１と対応する画像アイコンとが、アイコンデータとしてＲＡＭ４６に記録される。
【００４６】
図４はアイコンデータの構成の一例を示す図解図である。図４を参照して、アイコンデータには、たとえば上述したファビコンＦおよび画像Ｇ１と対応する画像アイコンが含まれる。ファビコンＦはメモリアドレス「０ｘ００００ＡＡＡＡ」によって示されるメモリ領域に記憶されている。また、画像Ｇ１と対応する画像アイコンはメモリアドレス「０ｘ００００ＢＢＢＢ」によって示されるメモリ領域に記憶されている。
【００４７】
なお、ファビコンＦがページの管理者によって指定されていない場合は、ブラウザ機能によって予め決められている所定アイコンのメモリアドレスが記録されてもよい。
【００４８】
次に、ｗｅｂページの文字列から、特徴語テーブルに記録されている特徴語が検索される。図５を参照して、特徴語テーブルには、特徴語の列、アイコンの列およびメモリアドレスの列を含む。たとえば、特徴語テーブルには、特徴語「birthday」に対応して、ケーキが描かれた特徴語アイコンと、その特徴語アイコンが記録されているメモリ領域を示すメモリアドレス「０ｘＡ０００１１１１」とが記録される。同様に、特徴語「soccer」に対応してボールが描かれた特徴語アイコンとメモリアドレス「０ｘＡ０００２２２２」とが記録され、特徴語「flower」に対応して花が描かれた特徴語アイコンとメモリアドレス「０ｘＡ０００３３３３」とが記録される。
【００４９】
たとえば、図３に示すｗｅｂページでは、特徴語として「birthday」が発見され、「birthday」に対応するメモリアドレス「０ｘＡ０００１１１１」が、履歴情報の一部として記録される。
【００５０】
なお、特徴語テーブルは、予め設定されているものだが、ユーザはその内容を任意に編集することが出来る。また、他の実施例では、予め登録されている複数の特徴語のうち、検索する特徴語をユーザが任意に決めることが出来てもよい。
【００５１】
そして、アイコンデータが作成され特徴語が検索されると、アドレス領域８０に表示されているＵＲＬを含む履歴情報が作成される。
【００５２】
図６を参照して、作成された履歴情報は履歴情報テーブルに記録される。履歴情報テーブルには、日時、ＵＲＬ、ファビコン、画像および特徴語の列を含む。
【００５３】
たとえば、履歴情報の日時の欄には、ｗｅｂページを表示したときの日時（２０１２／０７／１７  １４：３５：４０）が記録され、ＵＲＬの欄には表示しているｗｅｂページのＵＲＬ（ｈｔｔｐ：／／ｗｗｗ．ｈｂ．ｃｏｍ／ＡＡＡ）が記録される。また、ファビコンの欄にはアイコンデータにおけるファビコンＦのメモリアドレス（０ｘ００００ＡＡＡＡ）が記録され、画像の欄にはアイコンデータにおける画像Ｇ１と対応する画像アイコンのメモリアドレス（０ｘ００００ＢＢＢＢ）が記録され、特徴語の欄にはｗｅｂページに含まれる特徴語を示す特徴語アイコンのメモリアドレス（０ｘＡ０００１１１１）が記録される。
【００５４】
図７を参照して、履歴情報の表示操作が行われると、機能表示領域７２には、履歴情報テーブルに基づいて履歴画面が表示される。本実施例の履歴画面には、３つの履歴情報ＨＩ１−ＨＩ３が表示される。履歴情報ＨＩ１は、図６に示す履歴情報と対応しており、ＵＲＬの欄に基づいてＵＲＬが表示され、ファビコン、画像および特徴語の欄に基づいて複数の情報アイコンＭＩａがそれぞれ表示されている。つまり、複数の情報アイコンＭＩの内、左のアイコンはファビコンの欄のメモリアドレスに基づいて表示され、中央のアイコンは画像の欄のメモリアドレスに基づいて表示され、右のアイコンは特徴語の欄のメモリアドレスに基づいて表示されている。そして、履歴情報ＨＩ１と同様にして、複数の情報アイコンＭＩ２を含む履歴情報ＨＩ２および複数の情報アイコンＭＩ３を含む履歴情報ＨＩ３が、履歴情報テーブルに基づいて履歴画面に表示される。
【００５５】
ユーザは、任意の履歴情報ＨＩに対してタッチ操作を行うことで、履歴情報に含まれるＵＲＬが示すｗｅｂページに戻ることが出来る。また、ユーザは、タッチ操作によって履歴画面をスクロールすることで、他の履歴情報ＨＩをディスプレイ１４に表示することが出来る。
【００５６】
たとえば、ユーザが人ＡＡＡのｗｅｂページに戻る場合、履歴情報画面において該当する履歴情報ＨＩをタッチすればよい。このとき、履歴情報ＨＩにＵＲＬだけが含まれている場合、ユーザは複数の履歴情報ＨＩから任意の履歴情報ＨＩを特定することは困難である。ところが、本実施例であれば、ｗｅｂページに基づいて作成された複数の情報アイコンＭＩがＵＲＬと共に表示されるため、ユーザは人ＡＡＡのｗｅｂページと対応する履歴情報ＨＩ１を容易に特定することが出来る。
【００５７】
なお、履歴情報ＨＩ３では、表示されている情報アイコンの数が２つであるが、これはこのｗｅｂページに特徴語が含まれていなかったからである。
【００５８】
次に、ブックマーク情報について説明する。本実施例では、ユーザによってブックマーク情報の登録操作が行われると、既に作成されている履歴情報を利用してブックマーク情報が登録される。
【００５９】
図８を参照して、ブックマーク情報テーブルには、ｗｅｂページ名の欄と、履歴情報テーブルと同じＵＲＬ、ファビコン、画像および特徴語の欄とが含まれる。ｗｅｂページ名の欄には、ページの管理者によって指定されている名称が、ｗｅｂページのソース情報に基づいて記録される。たとえば、図８に示すブックマーク情報テーブルには、図３に示すｗｅｂページの名称（Ｈ＊＊＊  Ｂ＊＊＊  ＡＡＡ）が記録される。
【００６０】
図９を参照して、ブックマーク情報の表示操作がされると、機能表示領域７２にはブックマーク情報テーブルに基づいてブックマーク画面が表示される。本実施例のブックマーク画面には、３つのブックマーク情報ＢＩが表示される。ブックマーク情報ＢＩ１は、図８に示すブックマーク情報と対応しており、ｗｅｂページ名に基づいてｗｅｂページ名（Ｈ＊＊＊  Ｂ＊＊＊  ＡＡＡ）の一部が表示される。また、ブックマーク情報ＢＩに含まれる複数の情報アイコンＭＩ１は、図７に示す複数の情報アイコンＭＩと同様、ファビコン、画像および特徴語の欄に基づいて表示されている。なお、図８ではブックマーク情報が図示されていないが、ブックマーク情報ＢＩ２およびブックマーク情報ＢＩ３は、ブックマーク情報ＢＩ１と同じように、ブック部マーク情報テーブルに基づいて表示される。
【００６１】
ユーザが任意のブックマーク情報ＢＩに対してタッチ操作を行うと、ブックマーク情報ＢＩに含まれるＵＲＬが示すｗｅｂページが表示される。また、ユーザは、タッチ操作によってブックマーク画面をスクロールすることで、他のブックマーク情報ＢＩをディスプレイ１４に表示することが出来る。
【００６２】
たとえば、図９から分かるように、ブックマーク情報ＢＩのｗｅｂページ名は、同じ種類のｗｅｂページであれば略同じものが記録される。そのため、ブックマーク画面において，ｗｅｂページ名だけが表示された場合、ユーザは各ブックマーク情報ＢＩを識別しづらい。ところが、本実施例のように、ｗｅｂページ名に対して、ｗｅｂページの内容を表す複数の情報アイコンＭＩが関連付けられていれば、ユーザは各ブックマーク情報ＢＩを容易に識別することが出来る。
【００６３】
以上の説明から分かるように、本実施例では、複数の履歴情報ＨＩまたは複数のブックマーク情報ＢＩが表示されていたとしても、ユーザは所望の情報を適切に選択することが出来る。
【００６４】
また、本実施例では、ファビコンＦ、ｗｅｂページ内の画像Ｇおよび特徴語などに基づいて複数の情報アイコンＭＩが作成されるため、複数の情報アイコンＭＩは関連するｗｅｂページの内容を表すことが出来る。
【００６５】
特に、ｗｅｂページにおいて表示サイズが最も表示サイズが大きい画像は、ｗｅｂページの具体的な内容を表している可能性が高い。そして、本実施例では、ｗｅｂページで最も表示サイズが大きい画像と対応する画像アイコンがＵＲＬと共に表示されるため、ユーザは履歴情報の画像アイコンを確認することで、ｗｅｂページの内容を推定しやすくなる。
【００６６】
なお、ユーザは、タッチ操作によって、図７に示す履歴画面と、図９に示すブックマーク画面とを切り替えることが出来る。
【００６７】
また、履歴画面では、履歴情報ＨＩは日付に基づいて分類された状態で表示される。また、ブックマーク画面では、ブックマーク情報ＢＩは任意に分類された状態で表示されることがある。
【００６８】
また、ファビコンＦが取得できなかったり、ｗｅｂページに画像が含まれていなかったり、ｗｅｂページに特徴が含まれていなければ、履歴情報テーブルまたはブックマーク情報テーブルにアイコンのメモリアドレスは記録されない。そして、メモリアドレスが記録されていない履歴情報またはブックマーク情報を表示する場合、記録されていないことがユーザに認識出来るように表示されてもよい。たとえば、履歴情報ＨＩを表示する際に、ファビコンＦだけが取得されていなければ、図７の履歴情報ＨＩにおいてファビコンＦが表示されている左側には何も表示せず、中央および右側のアイコンが表示される。これにより、ユーザは、表示されている複数の情報アイコンＭＩの状態を直感的に把握出来る。
【００６９】
また、他の実施例では、複数の情報アイコンＭＩとして、４つ以上のアイコンが表示されてもよい。また、本実施例の情報アイコンには、ファビコンＦ、画像アイコン、特徴語アイコンが含まれるが、他の実施例では、他の種類のアイコンが含まれていてもよい。
【００７０】
以上で実施例の特徴を概説したが、以下には、図１０に示すメモリマップおよび図１１−図１２に示すフロー図を用いて詳細に説明する。
【００７１】
図１０を参照して、図２に示すＲＡＭ４６には、プログラム記憶領域３０２とデータ記憶領域３０４とが形成される。プログラム記憶領域３０２は、先に説明したように、フラッシュメモリ４４（図２）に予め設定しているプログラムデータの一部または全部を読み出して記憶（展開）しておくための領域である。
【００７２】
プログラム記憶領域３０２には、履歴情報およびブックマーク情報を記録するための補足情報記録プログラム３１０および履歴情報およびブックマーク情報を表示するための補足情報表示プログラム３１２が記憶される。なお、プログラム記憶領域３０２には、電話機能、留守番電話機能、メール機能およびアラーム機能などを実行するためのプログラムも含まれる。
【００７３】
続いて、ＲＡＭ４６のデータ記憶領域３０４には、タッチバッファ３３０が設けられると共に、タッチ座標マップデータ３３２、ＧＵＩデータ３３４、特徴語テーブルデータ３３６、アイコンデータ３３８、履歴情報テーブルデータ３４０およびブックマーク情報テーブルデータ３４２などが記憶される。また、データ記憶領域３０４には、タッチフラグ３４４なども設けられる。
【００７４】
タッチバッファ３３０には、タッチパネル制御回路４８が出力するタッチ座標のデータが記憶される。タッチ座標マップデータ３３２は、タッチ操作におけるタッチ座標と、ディスプレイ１４の表示座標とを対応付けるためのデータである。つまり、タッチ座標マップデータ３３２に基づいて、タッチパネル１６に対して行われたタッチ操作の結果が、ディスプレイ１４の表示に反映される。ＧＵＩデータ３３４は、ディスプレイ１４に表示されるＧＵＩの画像および文字などのデータである。
【００７５】
特徴語テーブルデータ３３６は、たとえば図５に示す構成のデータである。アイコンデータ３３８は、たとえば図４に示す構成のデータである。履歴情報テーブルデータ３４０は、たとえば図４に示す構成のデータである。ブックマーク情報テーブルデータ３４２は、たとえば図８に示す構成のデータである。
【００７６】
タッチフラグ３４４は、タッチパネル１６に対してタッチされているか否かを判断するためのフラグである。たとえば、タッチフラグ３４４は、１ビットのレジスタで構成される。タッチフラグ３４４がオン（成立）されると、レジスタにはデータ値「１」が設定される。一方、タッチフラグ３４４がオフ（不成立）されると、レジスタにはデータ値「０」が設定される。なお、タッチフラグ３４４は、タッチパネル制御回路４８が出力する信号に基づいてオン／オフが切り換えられる。
【００７７】
なお、データ記憶領域３０４には、待機状態で表示される画像データや、文字列のデータなどが記憶されると共に、携帯電話機１０の動作に必要なカウンタや、フラグも設けられる。
【００７８】
プロセッサ３０は、Ａｎｄｒｏｉｄ（登録商標）およびＲＥＸなどのＬｉｎｕｘ（登録商標）ベースのＯＳや、その他のＯＳの制御下で、図１１に示す補足情報記録処理および図１２に示す補足情報表示処理などを含む、複数のタスクを並列的に処理する。
【００７９】
補足情報記録処理は、ブラウザ機能が実行されたときに、開始される。ステップＳ１でプロセッサ３０は、ファビコンＦが指定されているか否かを判断する。たとえば、プロセッサ３０は、サーバから取得したｗｅｂページのソース情報に、ファビコンＦを指定するコードが記載されているかを判断する。ステップＳ１で“ＹＥＳ”であれば、つまりファビコンＦが指定されていれば、ステップＳ３でプロセッサ３０は、ファビコンＦを取得し、ステップＳ５に進む。たとえば、プロセッサ３０は、図３に示すようなファビコンＦをサーバから取得し、アイコンデータ３３８の一部として記憶する。
【００８０】
また、ステップＳ１で“ＮＯ”であれば、つまりファビコンＦが指定されていなければ、ステップＳ５でプロセッサ３０は、画像が表示されているか否かを判断する。たとえば、サーバから取得したｗｅｂページのソース情報に、画像を指定するコードが含まれているかを判断する。ステップＳ５で“ＹＥＳ”であれば、つまり画像が表示されていれば、ステップＳ７でプロセッサ３０は、所定条件を満たす画像をアイコン化して、ステップＳ９に進む。たとえば、所定条件を満たす画像とは「最も表示サイズが大きい画像」である。また、図３に示すｗｅｂページの場合、最も表示サイズが大きい画像Ｇ１がアイコン化され、アイコンデータ３３８の一部として記憶される。
【００８１】
また、ステップＳ５で“ＮＯ”であれば、つまり画像が表示されていなければ、ステップＳ９でプロセッサ３０は、特徴語を含むか否かを判断する。つまり、プロセッサ３０は、表示中のｗｅｂページに、図５に示す特徴語テーブルの特徴語が含まれているかを判断する。ステップＳ９で“ＹＥＳ”であれば、つまり特徴語を含んでいれば、ステップＳ１１でプロセッサ３０は、特徴語と対応するメモリアドレスを取得し、ステップＳ１３に進む。たとえば、図３に示すｗｅｂページでは、特徴語である「birthday」のメモリアドレス「０ｘＡ０００１１１１」が取得される。なお、ステップＳ９で“ＮＯ”であれば、つまり特徴語が含まれていなければ、プロセッサ３０はステップＳ１３に進む。
【００８２】
続いて、ステップＳ１３でプロセッサ３０は、履歴情報を作成する。たとえば、図３に示すｗｅｂページが表示されている場合、図６に示すＵＲＬと、ファビコンＦ、画像および特徴語のメモリアドレスとを含む履歴情報が記録される。
【００８３】
続いて、ステップＳ１５でプロセッサ３０は、新しいｗｅｂページが表示されたか否かを判断する。つまり、サーバから新しいｗｅｂページのデータがダウンロードされたかが判断される。ステップＳ１５で“ＹＥＳ”であれば、たとえば表示中のｗｅｂページに含まれるリンクを利用して新しいページが表示されると、プロセッサ３０はステップＳ１に戻る。
【００８４】
また、ステップＳ１５で“ＮＯ”であれば、つまり新しいｗｅｂページを表示する操作がされなければ、ステップＳ１７でプロセッサ３０は、ブックマーク情報の登録操作か否かを判断する。ステップＳ１７で“ＹＥＳ”であれば、つまりブックマーク情報の登録操作がされると、ステップＳ１９でプロセッサ３０は、履歴情報に基づいてブックマーク情報を登録する。たとえば、図３に示すｗｅｂページが表示されているときに、ブックマークの登録操作がされると、図６に示す履歴情報に基づいて、図８に示すブックマーク情報が作成される。そして、作成されたブックマーク情報はブックマーク情報テーブルデータ３４２に登録される。また、ステップＳ１９の処理が終了すれば、プロセッサ３０はステップＳ１５に戻る。
【００８５】
ステップＳ１７で“ＮＯ”であれば、つまりブックマークの登録操作がされなければ、ステップＳ２１でプロセッサ３０は、終了操作か否かを判断する。つまり、ブラウザ機能を終了させる操作がされたか否かを判断する。ステップＳ２１で“ＮＯ”であれば、つまり終了操作がされなければ、プロセッサ３０はステップＳ１５に戻る。一方、ステップＳ２１で“ＹＥＳ”であれば、つまり終了操作がされると、プロセッサ３０は補足情報記録処理を終了する。
【００８６】
図１２は補足情報表示処理のフロー図である。たとえば、補足情報の表示画面が表示されると、補足情報表示処理が実行される。ステップＳ４１でプロセッサ３０は、履歴画面の表示操作か否かを判断する。ステップＳ４１で“ＹＥＳ”であれば、つまり履歴画面の表示操作がされると、ステップＳ４３でプロセッサ３０は、履歴情報テーブルデータ３４０を読み出す。続いて、プロセッサ３０は、ステップＳ４５でＵＲＬを表示し、ステップＳ４７で複数の情報アイコンを表示する。
【００８７】
たとえば、図６に示す履歴情報テーブルが読み出された場合、記録されている履歴情報から「ｈｔｔｐ：／／ｗｗｗ．ｈｂ．ｃｏｍ／ＡＡＡ」などが読み出され、履歴情報ＨＩの一部として表示する。また、上記ＵＲＬが読み出された行に記録されているメモリアドレスに基づいて、複数の情報アイコンが読み出される。そして、読み出された複数の情報アイコンは、対応するＵＲＬを含む履歴情報ＨＩの一部として表示される。これにより、図７に示すような履歴情報ＨＩを含む履歴画面が、ディスプレイ１４に表示される。そして、ステップＳ４７の処理が終了すれば、ステップＳ５７に進む。
【００８８】
また、ステップＳ４１で“ＮＯ”であれば、つまり履歴画面の表示操作がされなければ、ステップＳ４９でプロセッサ３０は、ブックマーク画面の表示操作がされたか否かを判断する。ステップＳ４９で“ＹＥＳ”であれば、つまりブックマーク画面の表示操作がされると、ステップＳ５１でプロセッサ３０は、ブックマーク情報テーブルデータ３４２を読み出す。続いて、ステップＳ５３でｗｅｂページ名を表示し、ステップＳ５５で複数の情報アイコンを表示する。
【００８９】
たとえば、図７に示すブックマーク情報テーブルが読み出された場合、記録されているブックマーク情報からｗｅｂページ名として「Ｈ＊＊＊  Ｂ＊＊＊  ＡＡＡ」が読み出される。また、このｗｅｂページ名が読み出された行に記録されているメモリアドレスに基づいて、複数の情報アイコンが読み出される。そして、読み出されたｗｅｂページ名および複数の情報アイコンに基づいて、ブックマーク情報ＢＩが表示される。つまり、図８に示すようなブックマーク情報ＢＩを含むブックマーク画面が、ディスプレイ１４に表示される。そして、ステップＳ５５の処理が終了すれば、プロセッサ３０はステップＳ５７に進む。
【００９０】
なお、ステップＳ４７またはステップＳ５５の処理を実行するプロセッサ３０は、表示処理部として機能する。
【００９１】
また、ステップＳ４９で“ＮＯ”であれば、つまりブックマーク画面の表示操作がされなければ、ステップＳ５７でプロセッサ３０は、終了操作か否かを判断する。つまり、ブラウザ機能を終了させる操作がされたか否かを判断する。ステップＳ５７で“ＮＯ”であれば、つまりブラウザ機能の終了操作がされなければ、プロセッサ３０はステップＳ４１に戻る。一方、ステップＳ５７で“ＹＥＳ”であれば、つまりブラウザ機能の終了操作がされると、プロセッサ３０は補足情報表示処理を終了する。
【００９２】
なお、ｗｅｂページに複数の特徴語が含まれる場合は、そのｗｅｂページにおいて最も数が多い特徴語と対応する特徴語アイコンのメモリアドレスが記録される。また、他の実施例では、ｗｅｂページに含まれる複数の特徴語のそれぞれに対応する特徴語アイコンのメモリアドレスが全て記録されてもよい。そして、履歴情報またはブックマーク情報を表示する操作がされると、このようにして記録されたメモリアドレスに基づいて、特徴語アイコンが表示される。
【００９３】
また、他の実施例では、ｗｅｂページの画像のうち、略正方形で、表示サイズが最も大きい画像がアイコン化されてもよい。つまり、他の実施例における所定条件を満たす画像とは、ｗｅｂページの画像のうち略正方形で、表示サイズが最も大きい画像となる。
【００９４】
また、特徴語は、ｗｅｂページのソース情報から検索されてもよい。これにより、同一種類のｗｅｂページにおいてトップページを示すアイコンや、特定のページを示すアイコンを、履歴情報ＨＩまたはブックマーク情報ＢＩに表示することが出来るようになる。
【００９５】
また、本実施例で用いられたプログラムは、データ配信用のサーバのＨＤＤに記憶され、ネットワークを介して携帯電話機１０に配信されてもよい。また、ＣＤ，ＤＶＤ，ＢＤなどの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、プログラムが本実施例と同等の構成の携帯通信端末にインストールされた場合、本実施例と同等の効果が得られる。
【００９６】
そして、本明細書中で挙げた、具体的な数値は、いずれも単なる一例であり、製品の仕様変更などに応じて適宜変更可能である。
【符号の説明】
【００９７】
１０    …  携帯電話機
１４    …  ディスプレイ
１６    …  タッチパネル
３０    …  プロセッサ
４０    …  入力装置
４４    …  フラッシュメモリ
４６    …  ＲＡＭ
【図１】
2014035652.tif 000003
【図２】
2014035652.tif 000004
【図３】
2014035652.tif 000005
【図４】
2014035652.tif 000006
【図５】
2014035652.tif 000007
【図６】
2014035652.tif 000008
【図７】
2014035652.tif 000009
【図８】
2014035652.tif 000010
【図９】
2014035652.tif 000011
【図１０】
2014035652.tif 000012
【図１１】
2014035652.tif 000013
【図１２】
2014035652.tif 000014